(57)【要約】      （修正有）【課題】急な暗闇において消火器などの円筒体の所在を知らしめる。【解決手段】円筒体Ｗに着脱される蓄光部材１０であって、蓄光性を備える弾性体で形成されており、かつ、円環を一箇所で分断して、着脱される円筒体Ｗの軸Ｃ方向に対して直交する方向の断面形状が略Ｃ字形状とされていることを特徴とする。円筒体Ｗに装着されると、略Ｃ字形状断面における２つの端２２、２４が非装着時に比べて離間するように弾性変形しつつ、内周面１８で円筒体Ｗの外周面Ｏｐを保持する。そのため、円筒体Ｗに対して容易に着脱可能であり、また円筒体Ｗの外周面Ｏｐ全体に巻回されるため、あらゆる角度から円筒体Ｗに装着された蓄光部材１０の発光を見ることができる。【選択図】図２
0003136880.tif 000002
【実用新案登録請求の範囲】
【請求項１】
円筒体に着脱される蓄光部材であって、
蓄光性を備える弾性体で形成されており、かつ、
円環を一箇所で分断して、着脱される円筒体の軸方向に対して直交する方向の断面形状が略Ｃ字形状とされていることを特徴とする蓄光部材。
【考案の詳細な説明】
【技術分野】
【０００１】
本考案は、暗闇における対象の所在を該対象に取り付けられて発光することにより知らしめる蓄光部材に関し、対象に対して着脱可能にするために弾性変形する部材の製造分野に属する。
【背景技術】
【０００２】
例えば、暗闇において消火器の所在を知らしめるものとして特許文献１に記載のものがある。これは、蓄光塗料を使用したシールであって、消火器に貼り付けられる。これにより、夜間において火災が発生したとき、暗闇における消火器の所在を火災の消火を行う者に知らしめることができる。また代わりとして、消火器に蓄光塗料を塗る方法も考えられる。
【０００３】
【特許文献１】実用新案登録第３１２０６３３号公報
【考案の開示】
【考案が解決しようとする課題】
【０００４】
ところが、上述のように蓄光シールを貼り付ける方法や蓄光塗料を塗る方法は、一度消火器に蓄光シールを貼り付けたり蓄光塗料を塗ると、容易にシールを剥がしたり塗料を除くことができない。そのため、消火器に蓄光シールを貼り付ける場合、消火器の点検を妨害しないように該消火器の表面の仕様記載部分（例えば、製造年月日が記載されている部分）を避けて貼り付ける必要があり、その結果、暗闇においてある方向からは発光している蓄光シールが見えず消火器の所在がわからない可能性がある。また、蓄光塗料を塗る場合、時間の経過とともに塗料が剥離するまたは汚れるなどにより、塗料の発光量（発光時間）が弱まる可能性がある。さらに、シールや塗料は、蓄光できる体積が小さく、すなわち蓄光量が小さく、その結果、暗闇における発光時間が短いという問題がある。
【０００５】
そこで、本考案は、シールや塗料とは異なり対象に対する着脱が容易であって、長時間発光することができる、すなわちシールや塗料に比べて体積が大きい蓄光部材を提供することを課題とする。
【課題を解決するための手段】
【０００６】
上述の課題を解決するために、本願の請求項１に記載の考案は、円筒体に着脱される蓄光部材であって、蓄光性を備える弾性体で形成されており、かつ、円環を一箇所で分断して、着脱される円筒体の軸方向に対して直交する方向の断面形状が略Ｃ字形状とされていることを特徴とする。
【考案の効果】
【０００７】
請求項１に記載の考案によれば、消火器などの円筒体に装着されて暗闇において該円筒体の所在を知らしめることができる。また、着脱される円筒体の軸方向に対して直交する方向の断面が、円環を一箇所で分断することにより略Ｃ字形状にされており、略Ｃ字形状断面における２つの端が非装着時に比べて離間するように弾性変形しつつ、内周面で円筒体の外周面を保持するように該円筒体に装着されるため、円筒体に対して着脱可能である。さらに、シールや塗料に比べて体積が大きい、すなわち蓄光量が大きい部材であるため、暗闇において長時間発光することができる。
【考案を実施するための最良の形態】
【０００８】
図１および図２は、本考案の一実施形態に係る蓄光部材を示している。
【０００９】
図１に符号１０に示す蓄光部材は、円環形状であって、蓄光性を備えた弾性体で形成されている。例えば、蓄光部材１０は、ポリエチレン、ポリプロピレン、ポリエチレンテレフタレート、アクリル、ＡＢＳ樹脂、ＡＳ樹脂などの樹脂、またはシリコンゴム、ウレタンゴムなどゴムなどの弾性体に蓄光顔料を含有させて形成されている。このような蓄光部材１０は、蓄光塗料を使用したシールに比べて体積が大きいため、該シールに比べて長時間発光することができる。
【００１０】
また、蓄光部材１０は、一箇所で分断されており、具体的には、上端１２から下端１４全体にわたって外周面１６から内周面１８に向かって一箇所で分断されている（分断して間隙２０が形成されている。）。この間隙２０により、蓄光部材１０は、図2に示すように、消火器、車両止め用のポール、手すり、鉄柱などの円筒体Ｗに着脱可能に装着されることが可能になる。
【００１１】
図２を用いて具体的に説明すると、蓄光部材１０は、着脱される円筒体Ｗの軸Ｃ方向に直交する断面が略Ｃ字形状であって、円筒体Ｗに装着されると、略Ｃ字形状断面における２つの端２２、２４が非装着時に比べて離間するように弾性変形しつつ、内周面１８で円筒体Ｗの外周面Ｏｐを保持する。したがって、蓄光塗料を使用したシールや蓄光塗料と異なり、容易に円筒体Ｗに対して着脱可能である。
【００１２】
なお、当然ながら、蓄光部材１０がその内周面で円筒体Ｗの外周面Ｏｐを保持するためには、蓄光部材１０は、その内径が、非装着時は円筒体Ｗの外径より小さく、装着するときには弾性変形して円筒体Ｗの外径より大きくなるように構成されている必要がある。例えば、外径が１０ｃｍの円筒体Ｗに装着される蓄光部材１０は、内径９ｃｍにされる。
【００１３】
このような蓄光部材１０によれば、蓄光部材１０を装着された消火器、車両止め用のポール、手すり、鉄柱などの円筒体は、暗闇においてその所在を知らしめることができる。また、円筒体Ｗの外周面Ｏｐ全体に巻回するように装着されるので、あらゆる角度から蓄光部材１０の発光を見ることができる。すなわち、暗闇において、あらゆる角度から円筒体Ｗの所在を知ることができる。
【００１４】
なお、図１や図２に示す蓄光部材１０は、間隙２０が着脱される円筒体Ｗの軸Ｃ方向と平行に延びるもの（該軸Ｃと直交する方向から見た場合、間隙２０と該軸Ｃが平行）である。これに限らず、蓄光部材は、図3に示すように、着脱される円筒体の軸Ｃ方向に対して直交する方向から見た場合、該軸Ｃに対して所定の角度に延びる間隙１２０によって一箇所で円環が分断されてなる蓄光部材１００であってもよい。広義には、本考案に係る蓄光部材は、上端から下端全体にわたって外周面から内周面に向かって一箇所で分断されている円環形状であればよい。
【００１５】
また、蓄光部材１０は発光時間に限度があり、暗闇に長時間放置されると発光しなくなるので、その場合でも、例えば車両のヘッドライト等の照射のもとで、円筒体の所在を知らしめるために、蓄光部材１０の外周面１６に部分的に光を反射する反射部材を設けてもよい。例えば、鏡面反射、乱反射、または再帰性反射する反射シールや反射シートを蓄光部材１０の外周面１６に部分的に貼り付けてもよい。これにより、蓄光部材１０は、蓄光して暗闇において発光する機能以外に、例えば交通事故の発生を低減するための車両のヘッドライトの光を反射する反射部材と同等の機能を備えることになる。
【産業上の利用可能性】
【００１６】
以上のように本考案によれば、暗闇において円筒体の所在を知らしめることができる。したがって、暗闇において所在を知りたい円筒体、例えば、消火器、車両止めポール、手すりなどの構造物の生産分野において好適に利用される可能性がある。
【図面の簡単な説明】
【００１７】
【図１】本考案の一実施形態に係る蓄光部材を示す図である。
【図２】図1の蓄光部材が円筒体に装着されている様子を示す図である。
【図３】本考案の別の実施形態に係る蓄光部材を示す図である。
【符号の説明】
【００１８】
１０  蓄光部材
１８  内周面
２２  端
２４  端
Ｗ    円筒体
Ｃ    円筒体軸
Ｏｐ  円筒体外周面
【図１】
0003136880.tif 000003
【図２】
0003136880.tif 000004
【図３】
0003136880.tif 000005